(57)【要約】【課題】中空の支柱の内部で横杆と接続杆とを嵌合させる作業や、支柱上部の開口を塞ぐ支柱キャップを取付ける作業を横杆と接続杆とを係止した後に限定することがなく、効率的に施工することができる柵を提供する。【解決手段】間隔をおいて立設された２本の支柱１の相対向する側壁１１間に柵ビーム２を架設し、前記支柱１は側壁１１に横孔１２を穿設し、該横孔１２に支持棒３を挿通して支柱１に取付けるとともに、支柱１の側壁１１より突出した前記支持棒３の突出端部３１を、前記柵ビーム２の筒状となされた筒状端部２１の筒内部２３に挿入して、柵ビーム２を前記支持棒３に支持するようにして、これに加えて、前記筒状端部２１の側壁には筒内部２３に連通する開口部２２を長手方向に形成し、前記開口部２２より前記支持棒３の突出端部３１を筒内部２３に挿入可能とする。【選択図】        図２
2015059372.tif 000002
【特許請求の範囲】
【請求項１】
間隔をおいて立設された２本の支柱の相対向する側壁間に柵ビームが架設され、前記支柱は側壁に横孔が穿設され、該横孔に支持棒が挿通されて支柱に取付けられるとともに、支柱の側壁より突出された前記支持棒の突出端部が、前記柵ビームの筒状となされた筒状端部の筒内部に挿入されて、柵ビームが前記支持棒に支持されるようになされ、これに加えて、前記筒状端部の側壁には筒内部に連通する開口部が長手方向に形成され、前記開口部より前記支持棒の突出端部が筒内部に挿入可能となされていることを特徴とする柵。
【請求項２】
前記筒状端部には、前記開口部を塞ぐカバー材が設けられ、筒内部に挿入された前記支持棒の突出端部を挟んで、前記筒状端部にカバー材が取付ボルトにより取付けられていることを特徴とする請求項１に記載の柵。
【請求項３】
支柱の横孔は上下に長い長孔となされているとともに、前記横孔に挿通された支持棒は、該支持棒の長手方向と直交する方向で挿通される１個の軸ボルトで支柱に係止されていることを特徴とする請求項１又は２に記載の柵。
【発明の詳細な説明】
【技術分野】
【０００１】
本発明は、道路等に設置される柵に関するものである。
【背景技術】
【０００２】
従来、道路等に設置される柵としては、例えば本出願人により、側壁に貫通孔が穿設された中空支柱が複数本適宜間隔をおいて建植され、各々の支柱間に横杆がそれぞれの両端部を上記貫通孔に嵌挿してさし渡され、支柱をはさんで相隣る横杆の端部は同一貫通孔内で接続杆により接続され、支柱内の少なくとも一方の横杆端部に支柱の長さ方向に串杆が横杆及び接続杆に貫通してさし込まれた道路用防護柵が提案されている（特許文献１）。
【先行技術文献】
【特許文献】
【０００３】
【特許文献１】特開昭５４−７４１２８号公報
【発明の開示】
【発明が解決しようとする課題】
【０００４】
しかしながら、上記道路用防護柵においては、支柱をはさんで相隣る横杆の端部は同一貫通孔内で接続杆により接続され、支柱内の少なくとも一方の横杆端部に支柱の長さ方向に串杆が横杆及び接続杆に貫通してさし込まれているので、決して広いとは言いづらい同一貫通孔内で接続杆に横杆を外挿しなければならず、作業性を改善する余地が残されており、また横杆端部と接続杆とに串杆を貫通するには、中空支柱の上部を開口した状態にしておき、串杆を貫通した後、前記開口を塞ぐ支柱キャップを取付ける作業を行う必要があった。
【０００５】
本発明は、中空の支柱の内部で横杆と接続杆とを嵌合させる作業や、支柱上部の開口を塞ぐ支柱キャップを取付ける作業を横杆と接続杆とを係止した後に限定することがなく、効率的に施工することができる柵を提供せんとするものである。
【課題を解決するための手段】
【０００６】
上記目的を達成するために、本発明は次のような構成としている。
すなわち、本発明に係る柵は、間隔をおいて立設された２本の支柱の相対向する側壁間に柵ビームが架設され、前記支柱は側壁に横孔が穿設され、該横孔に支持棒が挿通されて支柱に取付けられるとともに、支柱の側壁より突出された前記支持棒の突出端部が、前記柵ビームの筒状となされた筒状端部の筒内部に挿入されて、柵ビームが前記支持棒に支持されるようになされ、これに加えて、前記筒状端部の側壁には筒内部に連通する開口部が長手方向に形成され、前記開口部より前記支持棒の突出端部が筒内部に挿入可能となされていることを特徴とするものである。
【０００７】
また本発明に係る柵は、前記筒状端部には、前記開口部を塞ぐカバー材が設けられ、筒内部に挿入された前記支持棒の突出端部を挟んで、前記筒状端部にカバー材が取付ボルトにより取付けられていてもよい。
【０００８】
また本発明に係る柵は、支柱の横孔は上下に長い長孔となされているとともに、前記横孔に挿通された支持棒は、該支持棒の長手方向と直交する方向で挿通される１個の軸ボルトで支柱に係止されていてもよい。
【発明の効果】
【０００９】
本発明に係る柵によれば、間隔をおいて立設された２本の支柱の相対向する側壁間に柵ビームを架設し、前記支柱は側壁に横孔を穿設し、該横孔に支持棒を挿通して支柱に取付けるとともに、支柱の側壁より突出した前記支持棒の突出端部を、前記柵ビームの筒状となされた筒状端部の筒内部に挿入して、柵ビームを前記支持棒に支持するようにして、これに加えて、前記筒状端部の側壁には筒内部に連通する開口部を長手方向に形成し、前記開口部より前記支持棒の突出端部を筒内部に挿入可能としているので、支柱の外側の広い空間において柵ビームを支持棒に取付ける作業を行うことができ、また支柱上部に支柱キャップが取付けられている、取付けられていないに係わらず、柵ビームを支持棒に取付ける作業を行うことができるため、柵を効率よく設置することができる。
【００１０】
また本発明に係る柵によれば、前記筒状端部には、前記開口部を塞ぐカバー材を設け、筒内部に挿入した前記支持棒の突出端部を挟んで、前記筒状端部にカバー材を取付ボルトにより取付けているので、開口部が隠蔽され外観が良好であり、また歩行者などが開口部に指を突っ込み、ケガをすることを防止することができる。
【００１１】
また本発明に係る柵によれば、支柱の横孔を上下に長い長孔となしているとともに、前記横孔に挿通された支持棒を、該支持棒の長手方向と直交する方向で挿通される１個の軸ボルトで支柱に係止しているので、上下方向の長孔状に形成した横孔の寸法範囲内において、軸ボルトを軸として、支持棒を上下に傾けることができるため、柵を傾斜がない場所に設置する場合であっても、傾斜がある場所に設置する場合であっても、別の部材を準備する必要がなく、その分コストを抑えることができる。
【図面の簡単な説明】
【００１２】
【図１】本発明に係る柵の実施の一形態を示す、（イ）は正面図、（ロ）右側面図である。
【図２】図１に示す柵の背面側から見た要部拡大の分解斜視図である。
【図３】図１に示す柵を傾斜した場所に設置した時の要部拡大の正面図である。
【図４】本発明に係る柵に用いられる支持棒の、（イ）は正面図、（ロ）は底面図、（ハ）は左側面図である。
【発明を実施するための形態】
【００１３】
次に、本発明を実施するための形態について図面を参照し、具体的に説明する。
図面において、Ｐは本発明に係る柵であり、１は設置面Ｇに間隔をおいて立設された支柱、２は２本の前記支柱１の相対向する側壁１１間に上下方向に３段に架設された柵ビーム、３は支柱１に取付けられた支持棒、４は後述する前記柵ビームの筒状端部２１に設けられた開口部２２を塞ぐカバー材、５は前記カバー材４を筒状端部２１に取付ける取付ボルト、６は前記支持棒を支柱１に係止する軸ボルトである。
【００１４】
前記支柱１には鉄鋼製の長尺の円形パイプで形成され、その隣り合う二個の支柱１の相対向するそれぞれの側壁１１に上下に長い楕円形状の長孔となされた横孔１２が穿設され、前記支持棒３が前記横孔に挿通されて支柱１に取付けられ、支柱１の上端には円筒状の支柱１の開口を塞ぐ半球状の支柱キャップ１３が取付けられている。そして、前記支柱１の側壁１１からは前記支持棒３の端部が突出されて突出端部３１となされている。また支柱１の側壁１１には、前記横孔１２に挿通された支持棒３の長手方向と直交する方向に、前記支持棒３を支柱１に係止する軸ボルト６を挿通するための支持棒取付孔１４が相対して同一水準で穿設されている。なお前記支持棒取付孔１４は円形状に形成されている。
【００１５】
前記柵ビーム２は鉄鋼製の長尺の円形パイプで形成され、その端部は円筒状の筒状端部２１となされて、前記支持棒３の突出端部３１が、前記柵ビーム２の筒状となされた筒状端部２１の筒内部２３に挿入されて、前記柵ビーム２が支持棒３に支持されるようになされている。また、前記筒状端部２１の側壁には筒内部２３に連通する開口部２２が柵ビーム２の長手方向に形成されている。そして前記筒状端部２１の側壁が半円筒状に取り除かれている部分が開口部２２となされている。そして該開口部２２より前記支持棒３の突出端部３１が前記柵ビーム２の筒内部２３に挿入可能となされている。また前記筒状端部２１の側壁には、前記柵ビーム２と前記支持棒３とを取付ける前記取付ボルト５を挿通するための通孔２４が２個隣り合って穿設されている。なお前記通孔２４は横長の小判状に形成されている。
【００１６】
前記支持棒３は、鉄鋼製の平板を曲げ加工して短尺の円形パイプ状に形成され、前記支柱１の横孔１２に挿通されて、前記支持棒３の長手方向と直交する方向に穿設された支持棒取付孔１４に挿通され、支持棒３を貫通する１個の軸ボルト６で前記支柱１に係止されている。なお、前記支持棒３の中心には、前記軸ボルト６を挿通する貫通孔３２が相対して同一水準で穿設され、前記支持棒３の端部には片側に２個ずつ、支持棒３に柵ビーム２を取付けるための前記取付ボルト５を挿通する透孔３３が２個隣り合うとともに相対して同一水準で穿設されている。なお前記透孔３３は横長の小判状に形成されている。また本実施形態においては、前記支持棒３は鉄鋼製の平板を曲げ加工して円形パイプ状に形成しているが、円形パイプを所定の長さに切断して形成してもよい。
【００１７】
前記カバー材４は、前記柵ビーム２の筒状端部２１の側壁が半円筒状に取り除かれた開口部２２を塞ぐように半円筒状に形成され、前記筒内部２３に挿入された前記支持棒３の突出端部３１を挟んで、前記筒状端部２１に前記カバー材４が前記取付ボルト５により取付けられている。また前記カバー材４には、前記柵ビーム２の筒状端部２１に並設された通孔２４と相対向する位置に横長の小判状の挿通孔４１が２個隣り合って穿設され、それぞれの挿通孔４１に前記取付ボルト５が挿通されて、前記支持棒３と柵ビーム２とカバー材４とが固定されている。
【００１８】
次に、設置面Ｇに立設した前記支柱１に柵ビーム２を取付ける方法について説明する。
まず、前記支柱１の側壁１１に穿設された横孔１２に、前記支持棒３を挿通し、前記支柱１の側壁に穿設された支持棒取付孔１４と前記支持棒３の貫通孔３２とに前記軸ボルト６を挿通し、ナットＮ１を螺着して前記支持棒３を支柱１に係止する。次に、前記柵ビーム２を、その筒状端部２１の開口部２２が斜め下向きとなるようにして、前記支柱１の側壁１１から突出している前記支持棒３の突出端部３１に筒状端部２１の内側壁面２１１を当接させて載置する。そして、前記筒状端部２１の開口部２２を前記カバー材４で塞ぐように、カバー材４を配置するとともに、前記筒状端部２１の通孔２４と前記突出端部２１の透孔３３と前記カバー材４の挿通孔４１とに前記取付ボルト５を挿通し、ナットＮ２を螺着して、支柱１に柵ビーム２が取付けられる。
【００１９】
この様に、前記筒状端部２１の開口部２２が斜め下向きとなるようにして、前記支持棒３の突出端部３１に筒状端部２１を載置する様になされているため、前記柵ビーム２を支持棒３に仮置きすることができ、前記開口部２２をカバー材４で覆うようにし前記取付ボルト５を挿通し、ナットＮ２で螺着する作業を１人ですることもできるので、支柱１への柵ビーム２の取付け作業を効率よく実施することができる。
【００２０】
ここで図３に示す様に、本発明に係る柵Ｐを傾斜した場所に設置する際には、前記支持棒３を軸支している軸ボルト６を軸心とし、設置面Ｇの傾斜に合わせて前記支持棒３を回動させ、それに前記柵ビーム２を取付ける様にすればよく、傾斜がある場所に設置する場合であっても、上下に長い楕円形状に形成した前記横孔１２の寸法範囲内においては、別の部材を準備する必要がなく、その分コストを抑えることができ好ましい。
【００２１】
なお本実施形態においては、柵ビーム２は上下に３段取付けられているが、特にこれに限定されるものではなく、２段或いは４段にする等、必要に応じて適宜設定することができる。又、柵ビーム２は長尺の円形パイプに限定されるものではなく、上下の柵ビーム２の間に、上下にパイプを配置した縦格子状のものでもよく、また鉄鋼製の細線をメッシュ状に溶接したパネルを配置したものでもよい。
【００２２】
また本実施形態では、前記筒状端部２１の開口部２２が側面視斜め４５度下向きとなるようにして、前記支持棒３の突出端部３１に筒状端部２１を載置する様になされているが、特にこれに限定されるものではなく、開口部３３が斜め上向きになるようにしてもよいし、水平方向或いは垂直方向になるようにしてもよい。
【００２３】
さらに、前記取付ボルト５は、柵ビーム２と支持棒３とカバー材４とに水平方向に挿通されるようになされているが、特にこれに限定されるものではなく、斜め４５度方向に挿通されていてもよいし、垂直方向に挿通されていてもよく、前記通孔２４、透孔３３、挿通孔４１の孔位置を適宜設定すればよい。
【００２４】
また本実施形態では、支柱１及び柵ビーム２は、鉄鋼製の円形パイプで形成されているが、ステンレスやアルミニウム等鉄鋼以外の金属製であってもよく、又はそれらの外周に合成樹脂が塗装又は被覆されたもの等から作製されていてもよいが、支柱１や柵ビーム２の形状については、円形、矩形等、特に限定されるものではなく、その他の点についても、本発明の要旨を逸脱しない範囲において種々の変更を施した形態での実施が可能である。
【符号の説明】
【００２５】
１      支柱
１１    側壁
１２    横孔
１３    支柱キャップ
１４    支持棒取付孔
２      柵ビーム
２１    筒状端部
２１１  内側壁面
２２    開口部
２３    筒内部
２４    通孔
３      支持棒
３１    突出端部
３２    貫通孔
３３    透孔
４      カバー材
４１    挿通孔
５      取付ボルト
６      軸ボルト
Ｐ      柵
Ｇ      設置面
Ｎ１    ナット
Ｎ２    ナット
【図１】
2015059372.tif 000003
【図２】
2015059372.tif 000004
【図３】
2015059372.tif 000005
【図４】
2015059372.tif 000006